(57)【特許請求の範囲】
【請求項１】
蛍光ランプが内壁側に取付けられる、少なくとも一部が縦切断筒状の器具本体と、
少なくとも前記器具本体の内部を仕切るための側板部と前記器具本体の側面開口側を覆う上板部とを備えた取付け板とを備え、
前記器具本体の内壁面には前記器具本体の長さ方向にそって反射板が突き出すように設けられており、前記取付け板の側板部には前記反射板の端部と係合する凸部または凹部が設けられてなる照明器具。
【請求項２】
前記取付け板により仕切られた空間には前記蛍光ランプを点灯させるための点灯回路が挿入され、該点灯回路の発熱部品を前記取付け板に接続せしめ、前記取付け板を放熱板とした請求項１記載の照明器具。
【請求項３】
前記縦切断筒状をなす器具本体の側部端縁に、前記器具本体の長さ方向に沿って線状溝が設けられているとともに、前記取付け板の上板部の両側部には前記線状溝に挿入される突き出し部が設けられてなる請求項１又は２に記載の照明器具。
【請求項４】
蛍光ランプが内壁側に取付けられる器具本体と、
前記器具本体内に配線される、前記蛍光ランプを点灯させるための接続配線と、を備え、
前記器具本体の内壁面には前記器具本体の長さ方向にそって反射板が突き出すように設けられており、前記反射板により前記器具本体の内壁面に形成された溝に前記接続配線を挿入してなる照明器具。
【請求項５】
前記溝に前記接続配線を挿入した後に前記溝を塞ぐ部材を前記溝に挿入してなる請求項４記載の照明器具。
【請求項６】
蛍光ランプが内壁側に取付けられる器具本体と、
前記器具本体の内壁面の底部側に取付けられる蛍光ランプ点灯用のソケットと、
前記ソケットを前記器具本体に取り付けるための取付け部材と、を備えた照明器具であって、
前記器具本体は前記器具本体の長さ方向に沿った溝を有するとともに、 前記器具本体の内壁面に前記器具本体の長さ方向にそって反射板が突き出すように設けられており、前記取付け部材は前記ソケットが取付けられる下板と、ネジ切り穴が設けられるとともにその端部が前記溝に挿入されてなる上板と、該上板を通して該下板にその端部が突き当たるネジとを有してなり、
前記ネジを回し前記上板を押し上げることで前記上板の端部を前記反射板に押し当て、前記器具本体に前記ソケットを固定してなる照明器具。
【請求項７】
蛍光ランプが内壁側に取付けられる器具本体と、
前記器具本体の内壁面の底部側に取付けられる蛍光ランプ点灯用のソケットと、
前記ソケットを前記器具本体に取り付けるための取付け基板と、を備えた照明器具であって、
前記器具本体は前記器具本体の長さ方向に沿った溝を有し、前記取付け基板は側部に段差を有するとともに、ネジ切り穴が設けられ、且つその側端部が前記溝に挿入されてなり、
ネジを回し該ネジを前記取付け基板を通して前記器具本体の底部に突き当て、前記取付け基板を押し上げることで前記取付け基板の側端部を前記溝を構成する前記器具本体の内壁面に押し当て、前記器具本体に前記ソケットを固定してなる照明器具。
【請求項８】
蛍光ランプが内壁側に取付けられる器具本体と、
前記器具本体の内壁面の底部側に取付けられる蛍光ランプ点灯用のソケットと、
前記ソケットを前記器具本体に取り付けるための取付け基板と、を備えた照明器具であって、
前記器具本体は前記器具本体の長さ方向に沿った溝を有し、前記取付け基板の側部に該溝と係合する凸部が設けられており、
前記凸部をその近傍に設けられた切欠き部を押し広げることで、前記溝を構成する前記器具本体の内壁面に係合させ、前記器具本体に前記ソケットを固定してなる照明器具。
【請求項９】
前記器具本体は押しだし成形により形成された請求項１〜８のいずれかの請求項に記載の照明器具。
【発明の詳細な説明】
【０００１】
【発明の属する技術分野】
本発明は照明器具に係わり、特に蛍光ランプの長さ方向に蛍光ランプを点灯させるための点灯回路を配置してなる照明器具に好適に用いられるものである。
【０００２】
【従来の技術】
蛍光ランプを使用する照明器具は、基本的には蛍光ランプ、この蛍光ランプに接続されるソケット、このソケットと接続されるインバータ等の点灯回路、これらを取り付ける器具本体から構成される。点灯回路は照明器具と別に設けることも可能であるが、配線の煩雑さ等を考慮すると照明器具内に設けることが望ましい。
【０００３】
ところで、点灯回路を器具本体内に設ける場合には収納のための空間を設ける必要がある。図２４に点灯回路を蛍光ランプによる照明方向と反対側に収納室を設けて配置した構成例、図２５に点灯回路を蛍光ランプによる照明方向に対して、蛍光ランプと平行に収納室を設けて配置した構成例を示す。なお、簡略化のため蛍光ランプは省略して示してある。図２４及び図２５において、１０１，２０１は器具本体、１０２，２０２は蛍光ランプを点灯させるためのソケットである。図２４，２０中、Ｘは点灯回路を収納する領域を示す。
【０００４】
図２６は図２５の照明器具を棚照明用の照明器具として用いた場合を示す説明図である。図２６において、３０１は照明器具上に載せられる棚、３０２ａ及び３０２ｂは照明器具及び棚３０１を支える腕部材、３０３ａ，３０３ｂは腕部材３０２ａ，３０２ｂが取付けられる支柱である。
【０００５】
図２４及び図２５に示した照明器具は点灯回路を蛍光ランプに対して並列に設けてあるために、照明器具の長さを短くできる長所を有している。
【０００６】
【発明が解決しようとする課題】
しかしながら、上記照明器具は照明器具の幅や高さが大きくなるので、軽量化や小型化が困難である。また、器具本体の形状も点灯回路を収納するために複雑化することになる。
【０００７】
本発明は構成をより簡易化した照明器具を提供することを目的とする。
【０００８】
【課題を解決するための手段】
本発明の照明器具は、蛍光ランプが内壁側に取付けられる、少なくとも一部が縦切断筒状の器具本体と、
少なくとも前記器具本体の内部を仕切るための側板部と前記器具本体の側面開口側を覆う上板部とを備えた取付け板とを備え、
前記器具本体の内壁面には前記器具本体の長さ方向にそって反射板が突き出すように設けられており、前記取付け板の側板部には前記反射板の端部と係合する凸部または凹部が設けられてなるものである。
【００１２】
また、本発明の照明器具は、蛍光ランプが内壁側に取付けられる器具本体と、
前記器具本体内に配線される、前記蛍光ランプを点灯させるための接続配線と、を備え、
前記器具本体の内壁面には前記器具本体の長さ方向にそって反射板が突き出すように設けられており、前記反射板により前記器具本体の内壁面に形成された溝に前記接続配線を挿入してなるものである。
【００１４】
また、本発明の照明器具は、蛍光ランプが内壁側に取付けられる器具本体と、
前記器具本体の内壁面の底部側に取付けられる蛍光ランプ点灯用のソケットと、
前記ソケットを前記器具本体に取り付けるための取付け部材と、を備えた照明器具であって、
前記器具本体は前記器具本体の長さ方向に沿った溝を有するとともに、 前記器具本体の内壁面に前記器具本体の長さ方向にそって反射板が突き出すように設けられており、前記取付け部材は前記ソケットが取付けられる下板と、ネジ切り穴が設けられるとともにその端部が前記溝に挿入されてなる上板と、該上板を通して該下板にその端部が突き当たるネジとを有してなり、
前記ネジを回し前記上板を押し上げることで前記上板の端部を前記反射板に押し当て、前記器具本体に前記ソケットを固定してなるものである。
【００１５】
また、本発明の照明器具は、蛍光ランプが内壁側に取付けられる器具本体と、
前記器具本体の内壁面の底部側に取付けられる蛍光ランプ点灯用のソケットと、
前記ソケットを前記器具本体に取り付けるための取付け基板と、を備えた照明器具であって、
前記器具本体は前記器具本体の長さ方向に沿った溝を有し、前記取付け基板は側部に段差を有するとともに、ネジ切り穴が設けられ、且つその側端部が前記溝に挿入されてなり、
ネジを回し該ネジを前記取付け基板を通して前記器具本体の底部に突き当て、前記取付け基板を押し上げることで前記取付け基板の側端部を前記溝を構成する前記器具本体の内壁面に押し当て、前記器具本体に前記ソケットを固定してなるものである。なお、「器具本体の底部に突き当て」とは基板等を介してネジを突き当てる場合をも含むものとする。
【００１６】
また、本発明の照明器具は、蛍光ランプが内壁側に取付けられる器具本体と、
前記器具本体の内壁面の底部側に取付けられる蛍光ランプ点灯用のソケットと、
前記ソケットを前記器具本体に取り付けるための取付け基板と、を備えた照明器具であって、
前記器具本体は前記器具本体の長さ方向に沿った溝を有し、前記取付け基板の側部に該溝と係合する凸部が設けられており、
前記凸部をその近傍に設けられた切欠き部を押し広げることで、前記溝を構成する前記器具本体の内壁面に係合させ、前記器具本体に前記ソケットを固定してなるものである。
【００１８】
なお、本願において、縦切断筒状とは中空柱状体を縦に切断して構成される形状をいい、結果的に蛍光ランプ等を覆うことができる形状であればよい。以下に説明する実施形態では、その横切断面が「コ」の字状のものを取り上げているが、特にその形状に限定されるものではなく、例えば円弧状、（上辺又は下辺のない）台形状又は逆台形状であってもよい。また、蛍光ランプが湾曲していれば、照明器具もそれに合わせて湾曲している場合もある。さらに、器具本体全体が縦切断筒状である必要はなく、取付け板を挿入する部分のみが縦切断筒状であってもよい。例えば、取付け板を器具本体の端部又は両端部に取付ける場合には、器具本体の端部又は両端部のみを縦切断筒状としてもよく、取付け板を器具本体の中心部に取付ける場合には、器具本体の中心部のみを縦切断筒状としてもよい。
【００１９】
上記第８及び第９の照明器具の「取付け基板」はソケットが取付け可能であればよく、平板，湾曲した板、部分的に曲げ加工された板等を含むものである。
【００２０】
【発明の実施の形態】
以下、本発明の実施形態について図面を用いて説明する。
【００２１】
図１は本発明に係わる照明器具の全体構成を概略的に示した分解図である。図１において、１はアルミ等の縦切断筒状（ここでは横切断面が「コ」の字状の柱状体）の器具本体、２及び３は取付け板であり、取付け板２，３は器具本体１の上部から挿入される。取付け板２，３は器具本体１の両端面及び側面開口部を覆うとともに、点灯回路を収納する収納領域Ｓ1，Ｓ3を区分する役割を担う。なお取付け板２，３は領域を区分するとともに器具本体を覆えば足り、必ずしも器具本体の端面を覆う必要はない。器具本体１は長さ方向で断面形状が変わらないように構成され、押しだし成形で形成される。ただし縦切断筒状とするのは取付け板を挿入する部分のみであってもよい。例えば、図２７（ａ），（ｂ），（ｃ）に示すように、取付け板を器具本体の端部又は両端部に取付ける場合には、器具本体の端部又は両端部のみを縦切断筒状としてもよい。ただし、図２７の場合は上板側１ｃが不透明であると内蔵される蛍光灯からの光が放出されなくなるので、器具本体を樹脂成形で作製するものとし上板側１ｃを透明材料（その他の部分は散乱材料）で構成することが望ましい。図２７の器具本体は押しだし成形後に切削加工により作製することができる。
【００２２】
図１の取付け板２，３で区分された領域Ｓ2には不図示の蛍光ランプやソケットが取付けられる。４及び５はそれぞれ収納領域Ｓ1，Ｓ3に収納されるトランス，トランジスタ，抵抗等が搭載された基板である。取付け板２，３は「コ」の字形状をなしているが、領域Ｓ1，Ｓ2，Ｓ3を区分けする側板部２ａ，３ａは不図示の器具本体１の内部の反射板等とぶつからないように小さくなっている。なお、ここでは点灯回路を分割して配線で接続したために取付け板をそれぞれ照明器具の両端に取付けているが、点灯回路を分割せず一方の端部のみに設ける場合には「コ」の字形状の取付け板は一つ設けるだけでよい。
【００２３】
なお、取付け板は照明器具の任意の位置に挿入してよく（例えば、２つの蛍光ランプを器具本体に取付ける場合には器具本体の中心に点灯回路を配置する場合がある）、その場合には取付け板２，３の側板部２ｂ，３ｂを側板部２ａ，３ｂと同じ形状としておけばよい。
【００２４】
図２は上記器具本体及び取付け板の斜視図、図３（Ａ），（Ｂ）は取付け板を別方向からの見た場合の斜視図である。なお、以下の説明は取付け板２について行うが、取付け板３についても同様である。
【００２５】
図２及び図３に示すように、取付け板２は側板部２ａ，２ｂ、上板部２ｄからなり、上板部２ｄの両側部には突き出し部２ｃが設けられている。この突き出し部２ｃは器具本体１に設けられた上部溝１ａ（側部端縁に設けられた線状溝；図４のＡ部）に挿入される。図２に示すように上部溝１ａは器具本体１の長さ方向に平行に設けられている。このように、突き出し部２ｃが上部溝１ａに挿入される構成により、取付け板のずれが防止されるとともに、収納室内にちり，ほこり，異物等が侵入するのを防ぐことができる。なお、突き出し部２ｃは上板部部２ｄの両端を折り曲げることで形成できる。突き出し部２ｃは図３（Ｂ）に示すように辺の一部に設けてもよい。７は点灯回路からの外部配線を行うための開口部、８は取付け板２と器具本体１とをネジ止めするための開口部である。
【００２６】
また、図２に示すように、器具本体１の内壁面には反射板１ｂが突き出すように設けられており、図７に示すように蛍光ランプから放出された光を反射させて照明効率を上昇させている。
【００２７】
図３に示すように、取付け板２の側板部２ａには矢形の凸部６が幅方向に設けられており、図１のように器具本体の上部から取付け板２を挿入すると、図５に示すように器具本体１の反射板１ｂの下端と係合してはめ込まれる。このように固定を行えば、側板部２ａをビス止めする等の作業は必要なく、作業性が向上する。取付け板２をはめ込んだ後に、取付け板２の開口部８を通して器具本体のネジ穴９にネジを差込み、器具本体１と取付け板２とを固定する。
【００２８】
なお、本実施形態では器具本体の内壁面に反射板が設けられているので、この反射板を用いて係合させたが、器具本体の内壁面に係合用の凹部や凸部を設けてもよい。即ち、器具本体の内壁面に凹部または凸部が設けられ、取付け板にこれと係合する凸部または凹部が設けられていてもよい。また、取付け板が器具本体にはめ込み可能ならば特に凹凸部の形状は限定されない。
【００２９】
図６は器具本体１と取付け板２とを固定した状態を器具本体の端面側から見た図である。図６に示すように、器具本体１に装着された取付け板の側板部２ｂの側部には開口部１０、側板部２ｂの底部には開口部１１が設けられている。開口部１０，１１は図８に示すようにそれぞれスライドフック１２，１３を取付けるためのものである。スライドフック１２かスライドフック１３を取付けて、図２６に示す棚照明用等として用いることができる。スライドフック１２，１３はともに器具本体１の長さ方向に出し入れが可能で、スライドフック１２，１３が掛けられる腕部材の間隔がかわっても対応することができる。なお、スライドフック１２は反射板１ｂにより内壁面に形成された溝に挿入される。
【００３０】
なお、図３及び図５においては、取付け板２の側板部２ａの矢形の凸部６は幅方向に２箇所設けられているが、図９に示すように側板部２ａの矢形の凸部６は一箇所のみであってもよい。また、凸部６は矢形状に限定されるものではなく、図１０に示すような凸形状であってもよい。
【００３１】
器具本体１と取付け板２との係合を強化したい場合には、図１１のように、矢形の凸部６の近傍に切欠き部（図中Ｂ部）を設け、器具本体１に取付け板２がはめ込まれた後に、（−）ドライバー等で切欠き部を拡げて、図１１の矢印の方向に凸部６を幅方向に押してやればよい。
【００３２】
図１のように、点灯回路の構成部品を基板４，５に分割して配置した場合には両基板を接続する配線が必要となるが、図１２に示すように、この配線１５は反射板１ｂの内側に形成された空間（溝）に収納することができる。このように配線１５を収納すれば配線の保護，固定が可能となる。また、空間に配線を収納した後には、図１２及び図１３に示すように、モール（空間（溝）を塞ぐ部材）１４を押し込み配線１５が飛び出してくることを防ぐことが望ましい。なお、点灯回路の構成部品を一つの基板にまとめた場合であっても点灯回路とソケットとの配線は必要なのでやはり蛍光ランプに沿った配線は必要になり、かかる配線を同様に反射板１ｂの内側の空間に収納することができる。
【００３３】
ところで、器具本体１を例えば図２６の棚照明用として用いる場合には、棚を載せる側にネジ山等の凹凸があると棚を載せる場合にじゃまになる。蛍光ランプを取り付けるためのソケットは、器具本体１の底部の図１の領域Ｓ2に取付けられるが、棚を載せる側にネジ山等がないようにするには、以下に示す取付け金具を用いればよい。
【００３４】
図１４及び図１５は器具本体１の底部を開口しネジ止めすることなく、ソケット等を取り付けることができる取付け金具を示す斜視図及び断面図である。図１４及び図１５に示すように、取付け金具１６は二つの折返し部１６ａ（上板）を有しており、各折返し部１６ａにはネジが切られており、ネジを回すと底部（下板）１６ｂに対して折返し部１６ａが上昇するようになっている。そして、折返し部１６ａが上昇することで、折返し部１６ａの一部が器具本体１の反射板１ｂと接し、器具本体１と取付け金具１６とが固定される。取付け金具１６でソケット等が搭載される基板１８を押さえれば、基板１８を器具本体１に固定することができる。なお、ソケット等を直接に取付け金具１６に取付けることができることは勿論である。
【００３５】
図１６（Ａ）〜（Ｃ）は取付け金具の他の構成例を示す断面図である。図１６（Ａ）ではスライドフック用の溝を利用し、段差を有する金具（上板）２０の上段部にネジを切り、下段部をスライドフック用の溝に挿入し、金具２０の上段部下にソケット等が搭載される基板（下板）１８が配置され、ネジ１９を回すと基板１８に対して金具２０の上段部が上昇し、金具２０の下段部がスライドフック用の溝に押し当てられ、基板１８を器具本体１に固定することができる。
【００３６】
図１６（Ｂ），（Ｃ）は段差を有する金具（取付け基板）２０に直接ソケット等を取り付ける場合を示した断面図であり、図１６（Ｂ）は図１６（Ａ）と同様にスライドフック用の溝を利用した場合、図１６（Ｃ）はスライドフック用の溝とは別に溝を設けた場合を示す。図１６（Ｂ），（Ｃ）においては、金具２０は両端に段差を有する基板となっており、ネジ１９を回すと器具本体の底部にネジ１９の端部が当り、基板２０が上昇し、基板２０の段差部が溝に押し当てられ、基板２０が器具本体１に固定されるようになっている。なお、ネジが底部に当たることで底部が変形等する場合には必要に応じて図１６（Ａ）のように基板を底部に配置することも可能である。また、図１６（Ｃ）は図１６（Ａ）のように上板と下板から構成することも可能である。
【００３７】
図１７は取付け金具のさらに他の構成例を示す斜視図、図１８は器具本体への取付け方法を示す図、図１９は取付け金具の構成図である。
【００３８】
図１７に示すように、取付け金具３０は角部に４つの折り曲げ部３０ａ〜３０ｄを有しており、特に折り曲げ部３０ａ〜３０ｃ（凸部）は図中破線領域Ｃ部の溝内に一部が挿入されるようになっている。そして、この溝に沿って器具本体１の長さ方向にスライド可能に取付け金具３０が挿入される。図１８は取付け金具３０を図中破線領域Ｃ部の溝内に挿入した状態が示されており、取付け金具３０の切欠き部３５を（−）ドライバー等で図１８の矢印方向（溝側）に押し広げるようにして、逆Ｌ字状部の折り曲げ部３０ｃ（凸部）を溝に押し当て係合させると、取付け金具３０が器具本体１の所定の位置に固定される。なお、ここでは逆Ｌ字状部を一箇所のみ設けているが、必要に応じて２箇所以上設けてもよいことは勿論である。また、溝に押し当てる部分の形状は特に限定されることなく、結果的に凸部が溝に押し当てられる形状であればよい。さらに図１１の破線領域Ｂのような切欠き部を設けて凸部を溝に押し当ててもよい。
【００３９】
取付け金具３０の側部には、折り曲げ部３０ｅが設けられ、この折り曲げ部３０ｅには「Ｌ」字状の溝３３1と「／」状の溝３３2とが設けられている。この溝３３1，３３2には蛍光ランプ取付部材が装着される。なお、この溝を有する取付け金具については、本発明者らは既に特願平７−１７３３４３号において提案をおこなっているので、ここでは図２０を用いてその動作のみについて説明する。
【００４０】
まず、図２０（ａ）に示すように、不図示の蛍光ランプを矢印方向から蛍光ランプ取付部材３１内に挿入する。なお、蛍光ランプ取付部材３１には蛍光ランプが挿入可能なように開口部が設けられており、内部に設けられた電気接続用金具に蛍光ランプの端子が挿入できるようになっている。このとき、蛍光ランプ取付部材３１の二つの凸部３４1，３４2は「Ｌ」字状の溝３３1の右上部及び「／」状の溝３３2の左下部に位置している。
【００４１】
次に蛍光ランプ又は蛍光ランプ取付部材３１を押すと、蛍光ランプ取付部材３１は反時計回りに回転下降し、図２０（ｂ）に示すような状態で停止する。蛍光ランプ取付部材３１の回転下降と同時に蛍光ランプも移動し、その端子は図２０（ｂ）に示す状態で電気接続用金具に取付けられる。このとき、蛍光ランプ取付部材３１の二つの凸部３４1，３４2は「Ｌ」字状の溝３３1の左下部及び「／」状の溝３３2の左下部に位置している。
【００４２】
さらに、蛍光ランプ及び蛍光ランプ取付部材３１をスライドさせて、蛍光ランプ取付部材１の二つの凸部３４1，３４2を「Ｌ」字状の溝３３1の右下部及び「／」状の溝３３2の右上部に移動させる。蛍光ランプ取付部材３１の二つの凸部３４1，３４2をこの位置に移動させると、蛍光ランプ取付部材３１は固定される（図２０（ｃ））。
【００４３】
蛍光ランプ取付器具から蛍光ランプを取り外すには、図２０（ｃ）の矢印方向から押圧し図２０（ｃ）の状態から図２０（ｂ）の状態に移動させる。図２０（ｂ）の状態で蛍光ランプ又は蛍光ランプ取付部材３１を引っ張ると、蛍光ランプの端子が電気接続用金具から外れ、図２０（ａ）の状態となる。
【００４４】
ここで説明した蛍光ランプ取付器具は、簡単な操作で蛍光ランプの着脱をおこなうことができ、作業性をより向上させることができるものである。
【００４５】
取付け金具３０の側部の折り曲げ部３０ｅに設けられる溝の形状は特に限定されず、ソケット（蛍光ランプ取付部材）を固定する方法により適宜きめればよい。例えばソケットをネジ止めして固定する場合には、図２１に示すように線状の溝を設けてもよい。
【００４６】
図２２及び図２３は取付け板３を放熱板として用いた場合を示す概略的側面図及び斜視図である。図２２及び図２３に示すように、取付け板３にはトランジスタ２１が押さえ板２２でネジ止めされ取付けられているとともに、トランス２３が取付けられている。そして、トランジスタ２１及びトランス２３から発生するの熱は取付け板を介して放出される。なお、同様に取付け板２を放熱板として用いることができることは勿論である。
【００４７】
このように取付け板に点灯回路の回路部品が取付けられた場合は、図１のように取付け板２，３を器具本体１の上部から挿入する構成により作業が簡易化する。即ち、取付け板２，３を器具本体１の両端面からそれぞれスライドさせて装着させようとすると、基板４と基板５との配線接続は取付け板装着後に行うか、配線自体に余裕を持たせて取付け板装着を行うしかなくなる。しかし、取付け板装着後に配線を行うことは作業上煩雑であり、配線自体に余裕を持たせた場合には余った配線の処理が問題となる。図１に示すように取付け板２，３を器具本体１の上部から挿入する場合には、必要最小限の配線長で基板４，５が取付けられた取付け板２，３を器具本体１に挿入することができる。
【００４８】
本発明は特に棚照明用の照明器具として好適に用いられるものであるが、その他の用途、例えば、廊下，通路等の足下灯、天井や壁面の照明装置としても用いることができる。
【００４９】
【発明の効果】
以上説明したように、本発明によれば、照明器具の小型化，軽量化が図れ、また取付け板の取り付け、点灯回路の設置、配線処理等の作業性が優れたものとなる。
【図面の簡単な説明】
【図１】本発明に係わる照明器具の全体構成を概略的に示した分解図である。
【図２】器具本体及び取付け板を示す斜視図である。
【図３】取付け板を別な方向から見た斜視図である。
【図４】器具本体の断面図である。
【図５】器具本体と取付け板とを固定した状態を側板部側から見た図である。
【図６】器具本体と取付け板とを固定した状態を器具本体の端面側から見た図である。
【図７】器具本体の反射板の作用を説明するための断面図である。
【図８】スライドフックの装着を説明するための斜視図である。
【図９】取付け板の側板部の他の構成例を示す図である。
【図１０】取付け板の側板部の他の構成例を示す図である。
【図１１】取付け板の側板部の他の構成例を示す図である。
【図１２】器具本体への配線の収納状態を示す斜視図である。
【図１３】器具本体への配線の収納状態を示す断面図である。
【図１４】ソケット取付け金具を示す斜視図である。
【図１５】ソケット取付け金具を示す断面図である。
【図１６】他の構成のソケット取付け金具を示す断面図である。
【図１７】他の構成のソケット取付け金具を示す斜視図である。
【図１８】図１７のソケット取付け金具の取付け方法を示す図である。
【図１９】図１７のソケット取付け金具の構成図である。
【図２０】図１７のソケット取付け金具の動作を説明する図である。
【図２１】図１７のソケット取付け金具の変形例を示す図である。
【図２２】取付け板を放熱板として用いた場合を示す概略的側面図である。
【図２３】取付け板を放熱板として用いた場合を示す斜視図である。
【図２４】従来の照明器具の一構成例を示す図である。
【図２５】従来の照明器具の他の構成例を示す図である。
【図２６】図２５の照明器具を棚照明用の照明器具として用いた場合を示す説明図である。
【図２７】器具本体の他の形状を示す斜視図である。
【符号の説明】
１  器具本体
２，３  取付け板
４，５  基板
６  矢形の凸部
７  開口部
８  開口部
１０  開口部
１１  開口部
１２，１３  スライドフック
１４  モール
１５  配線
１６  取付け金具
１７，１９  ネジ
１８  基板
２０  金具
２１  トランジスタ
２２  押さえ板
２３  トランス
【図１】
0003960489.tif 000002
【図２】
0003960489.tif 000003
【図３】
0003960489.tif 000004
【図４】
0003960489.tif 000005
【図５】
0003960489.tif 000006
【図６】
0003960489.tif 000007
【図７】
0003960489.tif 000008
【図８】
0003960489.tif 000009
【図９】
0003960489.tif 000010
【図１０】
0003960489.tif 000011
【図１１】
0003960489.tif 000012
【図１２】
0003960489.tif 000013
【図１３】
0003960489.tif 000014
【図１４】
0003960489.tif 000015
【図１５】
0003960489.tif 000016
【図１６】
0003960489.tif 000017
【図１７】
0003960489.tif 000018
【図１８】
0003960489.tif 000019
【図１９】
0003960489.tif 000020
【図２０】
0003960489.tif 000021
【図２１】
0003960489.tif 000022
【図２２】
0003960489.tif 000023
【図２３】
0003960489.tif 000024
【図２４】
0003960489.tif 000025
【図２５】
0003960489.tif 000026
【図２６】
0003960489.tif 000027
【図２７】
0003960489.tif 000028